(57)【要約】【課題】室内側から良好に壁パネルを補強して強度を高め、手すり，入浴補助器具等が後付け可能となるユニットバスの補強構造の提供。【解決手段】複数の壁パネル２，３，５，６を連結して壁面が構成されるユニットバス１において、少なくとも隣合う２枚の壁パネル２，３間にまたがる補強材１３を、室内側から壁パネル２，３間に固定して補強する。【選択図】                図１
2004232450.tif 000002
【特許請求の範囲】
【請求項１】
ユニットバスの壁面を構成する壁パネルに対し、室内側から補強材を固設し、該補強材により前記壁パネルの強度を補強したことを特徴とするユニットバスの補強構造。
【請求項２】
複数の壁パネルを連結して壁面が構成されるユニットバスにおいて、少なくとも隣合う２枚の壁パネル間にまたがる補強材を、室内側から前記壁パネル間に固定したことを特徴とするユニットバスの補強構造。
【請求項３】
前記補強材には、収納棚等の設備を引っ掛け固定できる引っ掛け部が設けられていることを特徴とする請求項１または請求項２に記載のユニットバスの補強構造。
【発明の詳細な説明】
【０００１】
【発明の属する技術分野】
この発明は、ユニットバスの補強構造に関するものである。
【０００２】
【従来の技術】
ユニットバスは、複数枚の壁パネルを連結して壁面が構成されており、従来、例えば図６の平面拡大図で示すように、隣合う壁パネル２と壁パネル３は、裏側に設けた連結金具４を介して連結されている。
即ち、壁パネル２の右端の折曲縁部２ａと、壁パネル３の左端の折曲縁部３ａを、連結金具４内にそれぞれ嵌め込んで、当接状に連結している。
このような連結構造において、例えば壁パネル３の室内側に手すり等を設けた場合に、手すりに力が加わると、壁パネル３が室内側に引っ張られて剪断応力が加わり、壁パネル３が連結金具４から外れてしまう虞れがあり、手すり等の設備をユニットバス内に後付けする場合には、壁パネルを補強する必要があった。
【０００３】
【特許文献１】
特開平８−１３８２４号公報
【０００４】
【発明が解決しようとする課題】
従来の補強構造としては、例えば特許参考文献１に開示されているように、壁パネル２，３の裏側に補強材を固定させて補強する構造があるが、既設のユニットバス１においては、壁パネルの取り外しができないために、壁パネル２，３の裏側に補強材を取り付けることは不可能であり、そのため、既設のユニットバスに手すり，入浴補助器具等を後付けすることができないという問題点あった。
【０００５】
【課題を解決するための手段】
本発明は、上記従来の問題点に鑑み案出したものであって、良好に壁パネルを補強して、手すり，入浴補助器具等の後付けが可能となるユニットバスの補強構造を提供せんことを目的とし、その第１の要旨は、ユニットバスの壁面を構成する壁パネルに対し、室内側から補強材を固設し、該補強材により前記壁パネルの強度を補強したことである。
また第２の要旨は、複数の壁パネルを連結して壁面が構成されるユニットバスにおいて、少なくとも隣合う２枚の壁パネル間にまたがる補強材を、室内側から前記壁パネル間に固定したことである。
また第３の要旨は、前記補強材には、収納棚等の設備を引っ掛け固定できる引っ掛け部が設けられていることである。
【０００６】
【発明の実施の形態】
以下、本発明の実施例を図面に基づいて説明する。
図１は、ユニットバスの要部斜視構成図であり、ユニットバス１は、複数枚の壁パネル２，３，５，６がそれぞれ連結されて壁面を構成しており、底側には防水パン７が設けられ、室内に浴槽８が設置されている。また、壁パネル２には、手すり９が設けられており、壁パネル３には、照明ランプ１０，棚１１，洗面器置き台１２が設けられている。
【０００７】
壁パネル２と壁パネル３を補強するために、室内側から補強材１３が、ビス等で壁パネル２，３間にまたがるように固定されており、この補強材１３はステンレス板等で平板状に形成して、その左端側をビス等で壁パネル２に固定し、右端側をビス等で壁パネル３に固定しておくことができ、この補強材１３により、壁パネル２と壁パネル３の連結部分が補強されて、手すり９に強い力が加わった場合にも、壁パネル２が壁パネル３から外れることがない。
即ち、裏側に設けられている連結金具４から壁パネル２または３が剥がれることがなくなる。
【０００８】
次に、図２は第２実施例を示し、図２では、壁パネル３の室内側に補強材１３をビス等で固定したものであり、補強材１３により、壁パネル３の強度を補強して、壁パネル３の撓みを無くしたものである。これにより、棚１１，洗面器置き台１２が設けられる壁パネル３の強度を良好に高めることができるものとなる。
【０００９】
次に、図３は第３実施例を示すものであり、第３実施例では、補強材１３を帯状にして、その両端側を折り曲げてコの字状に形成したものであり、この補強材１３は、壁パネル２と壁パネル３にまたがり、しかも、その左端側は、壁パネル２に直交する壁パネル５に固定され、また右端側は、壁パネル３に直交する壁パネル６に固定されて、この帯状の補強材１３で４枚の壁パネル２，３，５，６を連結固定できるものである。
この補強材１３は、室内側からビスまたはボルト等でそれぞれの壁パネル２，３，５，６に固定され、良好に室内側から補強材１３を取り付けて、壁パネル２，３，５，６間の強度を高めることができるものである。
【００１０】
次に、図４の平面断面拡大図で、また図５の分解斜視図で示すものは、変更例であり、本例では、補強材１３を変形させて、引っ掛け部Ｓ，Ｓを形成させたものである。
即ち、補強材１３は、ビス１４，１４で壁パネル２，３に固定される固定片１３ａ，１３ａを左右両端側に備え、左右両端の固定片１３ａ，１３ａから室内側へ折り曲がって立上片１３ｂ，１３ｂが左右に一体形成され、この各立上片１３ｂ，１３ｂの先端から覆蓋片１３ｃ，１３ｃが約９０°折り曲げて一体形成され、各覆蓋片１３ｃ，１３ｃから更に壁パネル側へ９０°折り曲げて、立上片１３ｄ，１３ｄが一体形成され、一対の立上片１３ｄ，１３ｄ間が、平板部１３ｅで連結されたものであり、ステンレス板等を折り曲げて良好に引っ掛け部Ｓ，Ｓを形成させることができ、左右両端側の固定片１３ａ，１３ａをビス１４で壁パネル２，３に固定し、壁パネル２，３間にまたがった状態に取り付けることができ、取付状態では、補強材１３の平板部１３ｅが、裏側の連結金具４とほぼ整合する壁パネル２，３の表側に当接されるものである。
【００１１】
このような補強材１３を壁パネル２，３間に固定しておけば、この補強材１３の引っ掛け部Ｓ，Ｓ内に、収納棚１５の掛止片１５ｃ，１５ｃを、上方側から落とし込み状に引っ掛けて、収納棚１５等を補強材１３に取り付けることができるものである。
例えば、収納棚１５は、収納凹部１５ａを有し、背板部１５ｂの裏側に垂下状に一対の掛止片１５ｃ，１５ｃが形成されたものであり、掛止片１５ｃ，１５ｃを、それぞれ補強材１３の引っ掛け部Ｓ，Ｓ内に引っ掛けて固定すると、収納棚１５の背板部１５ｂにより、補強材１３の前面側が覆蓋されて、補強材１３は隠蔽された状態となり、スッキリとした意匠性を確保して収納棚１５が取り付けられるものである。
【００１２】
なお、収納棚１５に限らず、良好に補強材１３を隠蔽できるような、その他の補助器具等の設備を、意匠性を確保して取り付けることができ、しかも補強材１３により、壁パネル２，３が強固に補強されるものとなる。
また、補強材１３を、壁パネル２，３間にまたがった状態に取り付ける他、何れかの壁パネル２，３，５，６に補強材１３を固定して、補強材１３で壁パネルを補強しつつ、収納棚１５等を補強材１３に取り付けることができるものである。
【００１３】
【発明の効果】
本発明は、ユニットバスの壁面を構成する壁パネルに対し、室内側から補強材を固設し、補強材により壁パネルの強度を補強したことにより、室内側から良好に補強材を取り付けることができ、この補強材により壁パネルが補強されて強度が確保されたものとなる。
【００１４】
また、複数の壁パネルを連結して壁面が構成されるユニットバスにおいて、少なくとも隣合う２枚の壁パネル間にまたがる補強材を、室内側から壁パネル間に固定したことにより、壁パネルに穴を開けることなく、室内側から良好に補強材を取り付けることができ、この補強材により壁パネルが補強されて強度が確保されたものとなり、良好に壁パネルの室内側に手すり，入浴補助器具等を設置することが可能となる。
【００１５】
また補強材には、収納棚等の設備を引っ掛け固定できる引っ掛け部が設けられていることにより、補強材の引っ掛け部に収納棚等の設備を引っ掛けて、収納棚等の設備を良好に設置することができ、また、収納棚等の設備で補強材を良好に隠蔽させて、ユニットバス内の意匠性を向上させることができるものとなる。
【図面の簡単な説明】
【図１】第１実施例のユニットバスの要部斜視構成図である。
【図２】第２実施例のユニットバスの要部斜視構成図である。
【図３】第３実施例のユニットバスの要部斜視構成図である。
【図４】引っ掛け部を備えた補強材を壁パネル間に固設した状態の平面拡大構成図である。
【図５】図４の補強材に収納棚を掛止する状態の分解斜視構成図である。
【図６】従来の壁パネルの連結構造を示す平面拡大構成図である。
【符号の説明】
１    ユニットバス
２，３，５，６    壁パネル
２ａ，３ａ    折曲縁部
４    連結金具
７    防水パン
９    手すり
１３    補強材
１３ａ    固定片
１３ｂ    立上片
１３ｃ    覆蓋片
１３ｄ    立上片
１３ｅ    平板部
１４    ビス
１５    収納棚
１５ｂ    背板部
１５ｃ    掛止片
Ｓ    引っ掛け部
【図１】
2004232450.tif 000003
【図２】
2004232450.tif 000004
【図３】
2004232450.tif 000005
【図４】
2004232450.tif 000006
【図５】
2004232450.tif 000007
【図６】
2004232450.tif 000008